(57)【要約】【課題】天井を張った後に、作業者が天井裏に入ることなく、野縁受け等に容易に取り付けることができる吊り支持具を提供する。【解決手段】吊り支持具１は、野縁受け７１に引っ掛けることができる引っ掛け部２と、上記引っ掛け部２が取り付けられた支持部材３と、上記支持部材３に支持される吊り部材４とを備える。上記引っ掛け部２は、鉤形状部２１ａを有する第１引っ掛け部２１と、鉤形状部２２ａを有する第２引っ掛け部２２とを、上記鉤形状部２１ａ、２２ａが互いに反対側を向くように備える。上記第１引っ掛け部２１と上記第２引っ掛け部２２とは、上記野縁受け７１の下面部７１ｄおよび上面部７１ｃを挿通できる間隔をあけて上記支持部材３に取り付けられている。【選択図】図２
2017155838.tif 000002
【特許請求の範囲】
【請求項１】
取付対象物に下から引っ掛けることができる引っ掛け部と、上記引っ掛け部が取り付けられた支持部材と、上記支持部材に支持される吊り部材とを備えることを特徴とする吊り支持具。
【請求項２】
請求項１に記載の吊り支持具において、上記引っ掛け部は、各々鉤形状部を有する第１引っ掛け部および第２引っ掛け部を、上記鉤形状部が互いに反対側を向くように備えることを特徴とする吊り支持具。
【請求項３】
請求項２に記載の吊り支持具において、上記取付対象物は、背向する第１側面と第２側面および上面部と下面部を有しており、上記第１引っ掛け部は、上記取付対象物における上記第１側面から上記上面部を越えて上記第２側面に至るように鉤形状部を有しており、上記第２引っ掛け部は、上記取付対象物における上記第２側面から上記上面部を越えて上記第１側面に至るように鉤形状部を有していることを特徴とする吊り支持具。
【請求項４】
請求項３に記載の吊り支持具において、上記第１引っ掛け部と上記第２引っ掛け部とが上記取付対象物の上記下面部および上面部を挿通できる間隔をあけるように上記支持部材に取り付けられていることを特徴とする吊り支持具。
【請求項５】
請求項１〜請求項４のいずれか１項に記載の吊り支持具において、上記支持部材は、筒形状を有しており、内面に雌螺子部が形成されており、上記吊り部材は雄螺子部を有し、この雄螺子部が上記雌螺子部に螺合されることを特徴とする吊り支持具。
【請求項６】
請求項５に記載の吊り支持具において、上記吊り部材を上記支持部材に螺合させて回すことで、上記吊り部材の上端が上記取付対象物に圧接することを特徴とする吊り支持具。
【発明の詳細な説明】
【技術分野】
【０００１】
この発明は、照明器具等を天井に取り付けるための吊り支持具に関する。
【背景技術】
【０００２】
照明器具等を天井に取り付けるための吊りボルトは、天井材（天井ボード）よりも下に位置するため、吊りボルトの位置やピッチを実測し、吊りボルトの先端を通すための孔を天井材にあけた後に、天井材を張ることになる。一方、現場によっては、天井材を張る前に吊りボルトを野縁受け等に取り付けておくことができない場合がある。このような場合は、天井材を張った後に、作業者が天井裏に入り、吊りボルトを野縁受け等に取り付けるため、天井下地を傷めるおそれがある。また、下から手が入るように、天井材に孔をあけるが、この孔の径が直径１００ｍｍ程度と大きい場合は、天井裏に結露が発生し易くなる。
【０００３】
ところで、特許文献１には、吊りボルトの一端を挟持板の貫通孔及び間隙に挿通させた状態で、各挟持板の表面側においてネジ止めすることで、Ｃチャンネル間の結束及び吊りボルトの固定を実現する構造の吊りボルト保持具が開示されている。この吊りボルト保持具は、一方の挟持板のネジを緩めた後、吊りボルトを移動させることにより、吊りボルトの設置個所も容易に変更可能となる。この結果、天井裏に入り込むことなく、室内側からの操作のみによって吊りボルトの位置を縦横自在に調整できる。
【先行技術文献】
【特許文献】
【０００４】
【特許文献１】特開２００３−２３２１００号公報
【発明の概要】
【発明が解決しようとする課題】
【０００５】
しかしながら、上記特許文献１に記載の吊りボルト保持具によれば、天井材を張った後に天井下から上記保持具のスライド移動ができるものの、天井下からの操作で吊りボルトを上記保持具に取り付けることはできないものと思われる。
【０００６】
この発明は、上記の事情に鑑み、天井材を張った後に、作業者が天井裏に入ることなく、野縁受け等に取り付けることができる吊り支持具を提供することを課題とする。
【課題を解決するための手段】
【０００７】
この発明の吊り支持具は、上記の課題を解決するために、取付対象物に下から引っ掛けることができる引っ掛け部と、上記引っ掛け部が取り付けられた支持部材と、上記支持部材に支持される吊り部材とを備えることを特徴とする。
【０００８】
上記の構成であれば、張られた天井材に形成した孔に下から上記引っ掛け部を挿入し、この引っ掛け部を上記取付対象物に引っ掛けることができる。そして、上記支持部材に支持される上記吊り部材にて、照明器具等を天井に取り付けることができる。このため、天井材を張った後、作業者が天井裏に入ることなく、上記吊り支持具を上記取付対象物に取り付けることができる。
【０００９】
上記引っ掛け部は、各々鉤形状部を有する第１引っ掛け部および第２引っ掛け部を、上記鉤形状部が互いに反対側を向くように備えてもよい。これによれば、２つの引っ掛け部によって支持強度を高めることが可能になる。また、第１引っ掛け部と第２引っ掛け部とが互いに反対の向きで上記取付対象物に引っ掛かるので、上記取付対象物から吊り支持具が外れ難くなる。
【００１０】
上記取付対象物は、背向する第１側面と第２側面および上面部と下面部を有しており、上記第１引っ掛け部は、上記取付対象物における上記第１側面から上記上面部を越えて上記第２側面に至るように鉤形状部を有しており、上記第２引っ掛け部は、上記取付対象物における上記第２側面から上記上面部を越えて上記第１側面に至るように鉤形状部を有していてもよい。
【００１１】
上記第１引っ掛け部と上記第２引っ掛け部とが上記取付対象物の上記下面部および上面部を挿通できる間隔をあけるように上記支持部材に取り付けられていてもよい。これによれば、上記第１引っ掛け部と上記第２引っ掛け部との間に上記取付対象物を入れた後に、上記吊り支持具を垂直軸回りに回して下げることで、上記第１引っ掛け部と第２引っ掛け部とを上記取付対象物に引っ掛けることが可能になる。
【００１２】
上記支持部材は、筒形状を有しており、内面に雌螺子部が形成されており、上記吊り部材は雄螺子部を有し、この雄螺子部が上記雌螺子部に螺合されてもよい。
【００１３】
上記吊り部材を上記支持部材に螺合させて回すことで、上記吊り部材の上端が上記取付対象物に圧接するようにしてもよい。これによれば、螺子締結によって吊り支持具を上記取付対象物に固定することができる。
【発明の効果】
【００１４】
本発明であれば、天井材を張った後、作業者が天井裏に入ることなく、吊り支持具を野縁受け等に取り付けることができるという効果を奏する。
【図面の簡単な説明】
【００１５】
【図１】実施形態を示す図であって、同図（Ａ）は吊り支持具の正面図であり、同図（Ｂ）は吊り支持具の側面図である。
【図２】図１の吊り支持具を野縁受けに取り付けた状態を示した概略の斜視図である。
【図３】図１の吊り支持具を野縁受けに取り付けるときの操作を示した概略の斜視図である。
【図４】他の実施形態の吊り支持具の側面図である。
【図５】図４の吊り支持具を野縁受けに取り付けた状態を示した概略の斜視図である。
【図６】他の実施形態の吊り支持具の側面図である。
【図７】図６の吊り支持具を野縁受けに取り付けた状態を示した概略の斜視図である。
【図８】図６の吊り支持具を野縁受けに取り付けるときの操作を示した概略の斜視図である。
【発明を実施するための形態】
【００１６】
以下、この発明の一態様に係る実施形態を添付図面に基づいて説明する。図１（Ａ）および図１（Ｂ）に示すように、この実施形態の吊り支持具１は、取付対象物に下から引っ掛けることができる引っ掛け部２と、上記引っ掛け部２が取り付けられた支持部材３と、上記支持部材３に支持される吊り部材４とを備える。上記支持部材３は、筒形状を有しており、内面に雌螺子部が形成されている。上記支持部材３としては、例えば、高ナットが用いられる。また、上記吊り部材４は、雄螺子部を有し、この雄螺子部が上記支持部材３の上記雌螺子部に螺合される。上記吊り部材４としては、例えば、全体に螺子を有する吊りボルトが用いられる。
【００１７】
上記引っ掛け部２が引っ掛けられる上記取付対象物は、図２に示すように、例えば、野縁受け７１とされる。もちろん、上記取付対象物は、上記野縁受け７１に限らず、他の天井下地とすることができる。
【００１８】
上記吊り支持具１は、上記引っ掛け部２として、鉤形状部２１ａを有する第１引っ掛け部２１と、鉤形状部２２ａを有する第２引っ掛け部２２とを備える。上記第１引っ掛け部２１および上記第２引っ掛け部２２は、上記鉤形状部２１ａ、２２ａを互いに反対側に向けている。上記第１引っ掛け部２１および上記第２引っ掛け部２２は、上記鉤形状部２１ａ、２２ａを支持する支持棒部２１ｂ、２２ｂを有しており、この支持棒部２１ｂ、２２ｂの基端部は、上記支持部材３の側面において１８０度の間隔をあけて配置され、例えば、溶接によって固定されている。
【００１９】
上記野縁受け７１は、例えば、Ｃチャンネルからなり、背向する第１側面７１ａと第２側面７１ｂ、および上面部７１ｃと下面部７１ｄを有している。
【００２０】
上記第１引っ掛け部２１は、上記支持棒部２１ｂが、上記野縁受け７１における上記第１側面７１ａから上記上面部７１ｃを越えて、上記鉤形状部２１ａが上記第２側面７１ｂに至るように形成されている。また、上記第２引っ掛け部２２は、上記支持棒部２２ｂが、上記野縁受け７１における上記第２側面７１ｂから上記上面部７１ｃを越えて、上記鉤形状部２２ａが上記第１側面７１ａに至るように形成されている。
【００２１】
また、上記第１引っ掛け部２１と上記第２引っ掛け部２２とは、上記野縁受け７１の上記下面部７１ｄおよび上面部７１ｃを挿通できる間隔をあけるように上記支持部材３に固定されている。例えば、上記第１引っ掛け部２１と上記第２引っ掛け部２２の間が上側ほど互いに広がるように、上記第１引っ掛け部２１および上記第２引っ掛け部２２が斜めに固定されている。換言すれば、上記鉤形状部２１ａおよび上記支持棒部２１ｂが含まれる面、および上記鉤形状部２２ａおよび上記支持棒部２２ｂが含まれる面は、各々鉛直面に対して傾斜しており、且つ、上記両面の間隔は上側ほど互いに離れている。もちろん、上記両面を鉛直面に平行としつつ、上記第１引っ掛け部２１と上記第２引っ掛け部２２とが上記野縁受け７１を挿通させるだけの間隔をあけることも可能である。また、上記野縁受け７１の上記下面部７１ｄおよび上面部７１ｃを挿通できる間隔をあけるようにすることには、上記第１引っ掛け部２１および上記第２引っ掛け部２２が弾性により変形して上記間隔をあけることが含まれる。
【００２２】
先述したように、上記支持部材３には雌螺子部が形成されており、上記吊り部材４には雄螺子部が形成されている。そして、上記雄螺子部は上記雌螺子部に螺合されており、上記吊り部材４を回すことで、上記吊り部材４の上端を上記野縁受け７１の上記下面部７１ｄに圧接させることができる。
【００２３】
上記の構成であれば、図２に示したように、張られた天井材７２に形成した孔７２ａに下から上記引っ掛け部２２を挿入し、この引っ掛け部２２を上記野縁受け７１に引っ掛けることができる。そして、上記支持部材３に支持される上記吊り部材４にて、照明器具等を天井に取り付けることができる。このため、天井材７２を張った後、作業者が天井裏に入ることなく、上記吊り支持具１を上記野縁受け７１に取り付けることができる。
【００２４】
上記引っ掛け部２が、上記鉤形状部２１ａを有する上記第１引っ掛け部２１と上記鉤形状部２２ａを有する第２引っ掛け部とを、上記鉤形状部２１ａ、２２ａが互いに反対側を向くように備えていると、上記２つの引っ掛け部２１、２２によって支持強度を高めることが可能になる。また、第１引っ掛け部２１と第２引っ掛け部２２とが互いに反対側に向いて上記野縁受け７１に引っ掛かるので、上記野縁受け７１から吊り支持具１が外れ難くなる。
【００２５】
上記第１引っ掛け部２１と上記第２引っ掛け部２２との間に、上記野縁受け７１の上記下面部７１ｄおよび上面部７１ｃを挿通できる間隔があけられていると、図３に示すように、上記第１引っ掛け部２１と上記第２引っ掛け部２２との間に上記野縁受け７１を下から入れることもできる。そして、その後に、上記吊り支持具１を垂直軸回りに９０度回して下げることで、上記第１引っ掛け部２１および第２引っ掛け部２２を上記野縁受け７１に引っ掛けることが可能になる。また、この操作は、上記吊り支持具１を略垂直にした状態で行えるので、上記孔７２ａの直径を例えば４０ｍｍ程度と小さくすることができ、天井裏の結露も抑制できる。
【００２６】
上記吊り部材４を上記支持部材３に螺合させて回すことで、上記吊り部材４の上端が上記野縁受け７１に圧接できると、螺子締結によって吊り支持具１を上記野縁受け７１にしっかりと固定することができる。
【００２７】
図４および図５に他の実施形態の吊り支持具５を示す。この吊り支持具５は、上記野縁受け７１に下から引っ掛けることができる引っ掛け部５１と、上記引っ掛け部５１が取り付けられた支持部材５２と、上記支持部材５２に支持される吊り部材５３とを備える。上記支持部材５２としては、例えば、雌螺子部を有するナットが用いられる。また、上記吊り部材５３は、雄螺子部を有し、この雄螺子部が上記支持部材５２の上記雌螺子部に螺合される。上記吊り部材５３としては、例えば、全螺子の吊りボルトが用いられる。
【００２８】
上記引っ掛け部５１は、一方側が開口される断面略Ｃ字形状を有し、上記開口を狭めるように、上部側には縦方向に上側鉤形状部５１ａを有しており、下部側にも縦方向に下側鉤形状部５１ｂを有している。上記支持部材５２は上記引っ掛け部５１の上記下部側に設けられている。上記上側鉤形状部５１ａの下端辺と上記下側鉤形状部５１ｂの上端辺との間の隙間を、上記野縁受け７１の上面部７１ｃから下面部７１ｄの長さ（高さ）よりも広くすると、上記野縁受け７１を真横から上記引っ掛け部５１内に導入することができる。或いは、上記隙間を、上記野縁受け７１の上面部７１ｃから下面部７１ｄの長さ（高さ）よりも狭くしておき、上記引っ掛け部５１を斜めにして、その下部側の底側に上記下面部７１ｄを入れた後に、上記上側鉤形状部５１ａを上記上面部７１ｃおよび第１側面７１ａの上側部分に引っ掛けることもできる。
【００２９】
上記吊り支持具５によっても、張られた天井材７２に形成した孔７２ａに下から上記引っ掛け部５１を挿入し、この引っ掛け部５１を上記野縁受け７１に引っ掛けることができる。そして、上記支持部材５２に支持される上記吊り部材５３にて、照明器具等を天井に取り付けることができる。このため、天井材７２を張った後、作業者が天井裏に入ることなく、上記吊り支持具５を上記野縁受け７１に取り付けることができる。また、上記吊り部材５３を上記支持部材５２の雌螺子部によって回し、上記吊り部材５３の上端を上記野縁受け７１に圧接させることができる。このため、螺子締結によって吊り支持具５を上記野縁受け７１にしっかりと固定することができる。
【００３０】
図６、図７および図８に他の実施形態の吊り支持具６を示す。この吊り支持具６は、上記野縁受け７１に下から引っ掛けることができる引っ掛け部６１と、上記引っ掛け部６１が取り付けられた支持部材６２と、上記支持部材６２に支持される吊り部材６３とを備える。上記支持部材６２としては、例えば、雌螺子部を有するナットが用いられる。また、上記吊り部材６３は、雄螺子部を有し、この雄螺子部が上記支持部材６２の上記雌螺子部に螺合される。上記吊り部材６３としては、例えば、全螺子の吊りボルトが用いられる。
【００３１】
上記引っ掛け部６１は、一方側が開口される断面略Ｇ字形状を有し、上記開口を狭めるように、下部側に鉤形状部６１ａを有しており、さらに、この鉤形状部６１ａの上辺部には返し部６１ｂが内側に曲げられて形成されている。上部側には鉤形状部は形成されていない。上記引っ掛け部６１の本体部分(非開口側部分)と上記返し部６１ｂの先端との間には、隙間が形成されており、この隙間から上記野縁受け７１の下側のリップ部を上記下部側に導入できるようにしている。
【００３２】
上記引っ掛け部６１における上側部と上記返し部６１ｂとの間の隙間は、上記野縁受け７１の上面部７１ｃから下面部７１ｄの長さ（高さ）よりも狭くされている。図８に示したように、上記引っ掛け部６１を斜めにして、その下部側の底部に上記下面部７１ｄを入れた後に、上記引っ掛け部６１の上側部を上記第１側面７１ａの上側部分に引っ掛けることができる。
【００３３】
上記吊り支持具６によっても、張られた天井材７２に形成した孔７２ａに下から上記引っ掛け部６１を挿入し、この引っ掛け部６１を上記野縁受け７１に引っ掛けることができる。そして、上記支持部材６２に支持される上記吊り部材６３にて、照明器具等を天井に取り付けることができる。このため、天井材７２を張った後、作業者が天井裏に入ることなく、上記吊り支持具６を上記野縁受け７１に容易に取り付けることができる。また、上記吊り部材６３を上記支持部材６２の雌螺子部によって回し、上記吊り部材６３の上端を上記野縁受け７１に圧接させることができる。このため、螺子締結によって吊り支持具６を上記野縁受け７１にしっかりと固定することができる。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      ：吊り支持具
２      ：引っ掛け部
３      ：支持部材
４      ：吊り部材
５      ：吊り支持具
６      ：吊り支持具
２１    ：第１引っ掛け部
２１ａ  ：鉤形状部
２１ｂ  ：支持棒部
２２    ：第２引っ掛け部
２２ａ  ：鉤形状部
２２ｂ  ：支持棒部
５１    ：引っ掛け部
５１ａ  ：上側鉤形状部
５１ｂ  ：下側鉤形状部
５２    ：支持部材
５３    ：吊り部材
６１    ：引っ掛け部
６１ａ  ：鉤形状部
６１ｂ  ：返し部
６２    ：支持部材
６３    ：吊り部材
７１    ：野縁受け
７１ａ  ：第１側面
７１ｂ  ：第２側面
７１ｃ  ：上面部
７１ｄ  ：下面部
７２    ：天井材
７２ａ  ：孔
【図１】
2017155838.tif 000003
【図２】
2017155838.tif 000004
【図３】
2017155838.tif 000005
【図４】
2017155838.tif 000006
【図５】
2017155838.tif 000007
【図６】
2017155838.tif 000008
【図７】
2017155838.tif 000009
【図８】
2017155838.tif 000010